(57)【特許請求の範囲】
【請求項１】
複数のブロックリンクを連結してなる搬送用チェーンに於いて、隣設するブロックリンク相互が、搬送方向に沿うブロックリンクの中心線を中心としてあらゆる向きに揺動自在となると共に、ブロックリンクの中心線を中心として正逆回転自在となるように形成した搬送用チェーンの連結構造であって、ブロックリンクは、搬送方向一端がわに連結杆が突設され、搬送方向他端がわに連結凹部が凹設され、搬送方向略中央部分に、連結凹部と連通状態となると共に、搬送物支持体が装着できる取付部が形成され、前記連結凹部には、搬送方向他端寄りがわに配される他方の環状ブッシュ受と、搬送方向一端寄りがわに配される一方の環状ブッシュ受とが、ストッパー取付溝に着脱自在に装着されるストッパーを介して逸脱不能に内装され、この一対の環状ブッシュ受の内周部分には、連結杆を固定する取付孔がその中心部に穿設された球面ブッシュを配設し、連結凹部には、ブロックリンクの中心線を中心とするような略円筒内周面状の内周面を形成し、一対の環状ブッシュ受には、ブロックリンクの中心線を中心とするような略円柱外周面状の外周面を形成し、この一対の環状ブッシュ受の外周面が、連結凹部の内周面に摺接するように形成して、一対の環状ブッシュ受が連結凹部内でブロックリンクの中心線を中心として正逆回転自在となるように構成し、一対の環状ブッシュ受の内周部分には、球凹面を夫々形成し、球面ブッシュの外表面には、摺動球凸面を形成し、この摺動球凸面の搬送方向他端寄り部分に、他方の環状ブッシュ受の球凹面が摺接するように形成すると共に、摺動球凸面の搬送方向一端寄り部分に、一方の環状ブッシュ受の球凹面が摺接するように形成して、球面ブッシュが一対の環状ブッシュ受に対してブロックリンクの中心線を中心として正逆回転自在となると共に、ブロックリンクの中心線を中心としてあらゆる向きに揺動自在となるように構成したことを特徴とする搬送用チェーンの連結構造。
【発明の詳細な説明】
【０００１】
【発明の属する技術分野】
本発明は、複数のブロックリンクを連結してなる搬送用チェーンに於いて、隣設するブロックリンク相互が、搬送方向に沿うブロックリンクの中心線を中心としてあらゆる向きに揺動自在となると共に、ブロックリンクの中心線を中心として正逆回転自在となるように形成した搬送用チェーンの連結構造であって、特に、スムーズなブロックリンク相互の揺動動作や、スムーズなブロックリンク相互の正逆回転動作が期待でき、しかも、連結部分に於けるガタつきが少なく、より取扱い易くなるように工夫した搬送用チェーンの連結構造に関するものである。
【０００２】
【従来の技術】
従来、この種の搬送用チェーンの連結構造としては、例えば、次のような適宜搬送物の支持装置が存在しており、これは、次々に連接結合されて一つのエンドレスチェーンになる同様な多数の装置と組み合わされて同時に搬送物を回転させながら移送するように設計された搬送物の支持装置であって、それぞれ前後に隣接する他の二つの取り付けプレートに連接結合する手段を備える取り付けプレートと、取り付けプレートに固定されたボディーと、軸方向の移動を可能にしながら自由に回転するように前記ボディによって支持されており、搬送物の開放端に着脱可能に固定されるように形成されたグリップ端を有するロッドとを含んでおり、前記結合手段が、取り付けプレートの一端にあり、この一端がわに隣接する取り付けプレートに支承されるように意図された球形キャッブ状の連結ヘッドを支持する連結ステムと、他端にあり、前述のキャップと相補的な形状を有し、この他端側に隣接する取り付けプレートの連結ステムを自由に通過させるための軸方向の開口をもつ球形領域の形状をした座部とを含む連結手段とを含んでおり、球形キャップ状の連結ヘッドが自由に回転するように連結ステムが支持されることと、固定手段によって連結ステムの自由端に固定された軸受プレートが連結ステムと直角をなし、連結ヘッドの球形キャップ状の面と反対側の面とほぼ平行して延びること、および環状の回転軸受が連結ステムと同軸に連結ヘッドと軸受プレートの互いに向き合う面の間に挿入されたものである（例えば、特表平１０−５１３４２６号）。
【０００３】
【発明が解決しようとする課題】
しかしながら、前述の如き搬送物の支持装置にあっては、隣設する取り付けプレートが相互に離れる向きに負荷がかけられているときは、連結部分に於けるガタつきが少ないが、隣設する取り付けプレートが相互に接近する向きに負荷がかけられたときは、連結部分に於けるガタつきが生じ、チェーン走行時の脈動や騒音の原因となる難点があった。しかも、取り付けプレート相互の連結部分にあっては、その構成が複雑で、分解、組立てが面倒で、メンテナンスも行い難く、これらに時間がかかる等の難点もあった。
【０００４】
【課題を解決するための手段】
そこで、本発明は、前述の如き難点等を解消すると共に、ブロックリンク相互がスムーズに揺動したり、スムーズに正逆回転でき、しかも、構成が簡素で、取扱いが容易で、耐久性に優れた搬送用チェーンの連結構造を提供できるようにすべく創出されたもので、請求項１記載の搬送用チェーンの連結構造にあっては、複数のブロックリンクＡを連結してなる搬送用チェーンに於いて、隣設するブロックリンクＡ相互が、搬送方向に沿うブロックリンクＡの中心線を中心としてあらゆる向きに揺動自在となると共に、ブロックリンクＡの中心線を中心として正逆回転自在となるように形成した搬送用チェーンの連結構造であって、ブロックリンクＡは、搬送方向一端がわに連結杆２が突設され、搬送方向他端がわに連結凹部５が凹設され、搬送方向略中央部分に、連結凹部５と連通状態となると共に、搬送物支持体Ｂが装着できる取付部１５が形成され、前記連結凹部５には、搬送方向他端寄りがわに配される他方の環状ブッシュ受２５と、搬送方向一端寄りがわに配される一方の環状ブッシュ受３０とが、ストッパー取付溝７に着脱自在に装着されるストッパー３５を介して逸脱不能に内装され、この一対の環状ブッシュ受２５、３０の内周部分には、連結杆２を固定する取付孔２２がその中心部に穿設された球面ブッシュ２０を配設し、連結凹部５には、ブロックリンクＡの中心線を中心とするような略円筒内周面状の内周面を形成し、一対の環状ブッシュ受２５、３０には、ブロックリンクＡの中心線を中心とするような略円柱外周面状の外周面を形成し、この一対の環状ブッシュ受２５、３０の外周面が、連結凹部５の内周面に摺接するように形成して、一対の環状ブッシュ受２５、３０が連結凹部５内でブロックリンクＡの中心線を中心として正逆回転自在となるように構成し、一対の環状ブッシュ受２５、３０の内周部分には、球凹面２６、３１を夫々形成し、球面ブッシュ２０の外表面には、摺動球凸面２１を形成し、この摺動球凸面２１の搬送方向他端寄り部分に、他方の環状ブッシュ受２５の球凹面２６が摺接するように形成すると共に、摺動球凸面２１の搬送方向一端寄り部分に、一方の環状ブッシュ受３０の球凹面３１が摺接するように形成して、球面ブッシュ２０が一対の環状ブッシュ受２５、３０に対してブロックリンクＡの中心線を中心として正逆回転自在となると共に、ブロックリンクＡの中心線を中心としてあらゆる向きに揺動自在となるように構成する手段を採用した。
【０００５】
【発明の実施の形態】
以下、本発明を図示例に基づいて説明する。
本発明は、複数のブロックリンクＡを連結するための連結構造に係り、例えば、容器等を搬送するための搬送用チェーンの如く、適宜搬送物を搬送方向に対して直交する面内で正逆回転できるように構成された搬送用チェーンの連結構造であって、具体的には、ブロックリンクＡの搬送方向一端がわに連結杆２を突設し、ブロックリンクＡの搬送方向他端がわに、隣接するブロックリンクＡの連結杆２が収容可能となる連結凹部５を凹設し、この連結凹部５内には、搬送方向他端がわに配される他方の環状ブッシュ受２５と、搬送方向一端がわに配される一方の環状ブッシュ受３０とをストッパー３５を介して逸脱不能となるよう内装し、この一対の環状ブッシュ受２５、３０に、連結杆２に固定される球面ブッシュ２０を介装したものである。
しかも、球面ブッシュ２０の外表面の摺動球凸面２１の搬送方向他端寄り部分に、他方の環状ブッシュ受２５の球凹面２６が摺接するように構成すると共に、球面ブッシュ２０の摺動球凸面２１の搬送方向一端寄り部分に、一方の環状ブッシュ受３０の球凹面３１が摺接するように構成して、隣設するブロックリンクＡ相互が、ブロックリンクＡの中心線を中心としてあらゆる向きに揺動自在となると共に、ブロックリンクＡの中心線を中心として正逆回転自在となるように構成されたものである。
【０００６】
ブロックリンクＡは、例えば、適宜金属材や、適宜合成樹脂材や、その他の適宜材料によって適宜ブロック状のリンク基体１を形成し、このリンク基体１の前面中央に連結杆２を連設し、リンク基体１の左右側面に走行用のローラ１２を装着できるようにした軸部１０を夫々連設し、リンク基体１の後面中央に開口されるように連結凹部５を凹設し、リンク基体１の上下面を貫通するように取付部１５を設けて構成されている。
【０００７】
連結杆２は、例えば、球面ブッシュ２０の取付孔２２に挿通可能で、軸心がブロックリンクＡの中心線に一致するような丸軸状を呈し、その先端には雄ネジ部３が設けられており、球面ブッシュ２０をナット３６によって簡単に固定できるように構成されている。尚、連結杆２の基端部分は、球面ブッシュ２０の取付孔２２より太く形成されており、リンク基体１前面から少し離れた状態で球面ブッシュ２０を固定できると共に、ナット３６の締付けによって球面ブッシュ２０が確実に固定できるように配慮してある。
【０００８】
連結凹部５は、連結杆２の軸心と一致するような中心線を中心とする略円筒内周面状の内周面を有し、連結凹部５の搬送方向他端部分（リンク基体１の後面の開口周縁部分）には、環状ブッシュ受２５の逸脱を阻止する係止段部６が周設され、連結凹部５の搬送方向一端部分には、略Ｃ字状のストッパー３５が取外し可能に装着できるストッパー取付溝７が周設されている。すなわち、係止段部６とストッパー取付溝７に装着されるストッパー３５とによって、一対の環状ブッシュ受２５、３０が連結凹部５内で搬送方向に移動してガタついたりしないように構成されている。
また、一対の環状ブッシュ受２５、３０の外周面が、連結凹部５の内周面に摺接するように形成することで、一対の環状ブッシュ受２５、３０が連結凹部５内でブロックリンクＡの中心線を中心として正逆回転自在となり、隣設するブロックリンクＡ相互の正逆回転がよりスムーズに行えるものとなる。
【０００９】
軸部１０は、例えば、短円柱状を呈し、その先端面には雌ネジ部１１が設けられており、この雌ネジ部１１にボルト１３（例えば、鍔付きボルト等）を螺着することで、ローラ１２を軸部１０に簡単に装着できるように構成されている。尚、ローラ１２には、例えば、ベアリング等が利用される。
【００１０】
取付部１５は、例えば、搬送物支持体Ｂ等が装着されるもので、しかも、取付部１５は、連結凹部５の搬送方向一端部分と連通状態となるように構成されている。すなわち、この取付部１５の空間を利用してブロックリンクＡ相互の連結が行えるように構成されている。しかして、ブロックリンクＡ相互を連結してから、取付部１５に搬送物支持体Ｂが装着されるようになる。
【００１１】
球面ブッシュ２０は、適宜金属材、或いは、適宜合成樹脂材、或いは、その他の適宜材料によって構成され、例えば、球体に一対の平行な平坦面を設けたような形状を呈し、平坦面中央部分に取付孔２２を穿設して構成されている。
【００１２】
一対の環状ブッシュ受２５、３０は、例えば、適宜金属材、或いは、適宜合成樹脂材、或いは、その他の適宜材料によって構成され、しかも、連結凹部５に収まるような環状に形成され、その内周部分には、球面ブッシュ２０の外表面に設けた摺動球凸面２１に摺接するような球凹面２６、３１が夫々形成されている。尚、他方の環状ブッシュ受２５の球凹面２６と、一方の環状ブッシュ受３０の球凹面３１とは、球体を中央で分割したような湾曲面状に形成されている。すなわち、他方の環状ブッシュ受２５を連結凹部５に内装した後に、球面ブッシュ２０を連結凹部５に内装し、次に、一方の環状ブッシュ受３０を連結凹部５に内装して、ストッパー３５をストッパー取付溝７に装着することにより、これらを連結凹部５内に簡単に内装できるように構成されている。
【００１３】
ストッパー３５は、例えば、適宜金属板材を略Ｃ字状に形成したもので、その弾性変形を利用して連結凹部５のストッパー取付溝７に着脱自在に装着できるようにしたものである。
【００１４】
図中３７は、連結杆２に外装されると共に、球面ブッシュ２０とナット３６との間に介装される座金である。
【００１５】
ところで、ブロックリンクＡの具体的構成、形状、寸法、材質、リンク基体１の具体的構成、形状、寸法、材質、連結杆２の具体的構成、形状、寸法、配設位置、雄ネジ部３の具体的構成、連結凹部５の具体的構成、形状、寸法、係止段部６の具体的構成、形状、寸法、配設位置、ストッパー取付溝７の具体的構成、形状、寸法、配設位置、取付部１５の具体的構成、形状、寸法、配設位置、球面ブッシュ２０の具体的構成、形状、寸法、材質、摺動球凸面２１の具体的構成、形状、寸法、取付孔２２の具体的構成、形状、寸法、環状ブッシュ受２５、３０の具体的構成、形状、寸法、材質、球凹面２６、３１の具体的構成、形状、寸法、ストッパー３５の具体的構成、形状、寸法、材質、ナット３６の具体的構成、形状、寸法、材質、座金３７の具体的構成、形状、寸法、材質等は、図示例のもの等に限定されることなく適宜自由に設定、変更できるものである。
【００１６】
【発明の効果】
従って、請求項１記載の搬送用チェーンの連結構造は、複数のブロックリンクＡを連結してなる搬送用チェーンに於いて、隣設するブロックリンクＡ相互が、搬送方向に沿うブロックリンクＡの中心線を中心としてあらゆる向きに揺動自在となると共に、ブロックリンクＡの中心線を中心として正逆回転自在となるように形成した搬送用チェーンの連結構造であって、ブロックリンクＡは、搬送方向一端がわに連結杆２が突設され、搬送方向他端がわに連結凹部５が凹設され、搬送方向略中央部分に、連結凹部５と連通状態となると共に、搬送物支持体Ｂが装着できる取付部１５が形成され、前記連結凹部５には、搬送方向他端寄りがわに配される他方の環状ブッシュ受２５と、搬送方向一端寄りがわに配される一方の環状ブッシュ受３０とが、ストッパー取付溝７に着脱自在に装着されるストッパー３５を介して逸脱不能に内装され、この一対の環状ブッシュ受２５、３０の内周部分には、連結杆２を固定する取付孔２２がその中心部に穿設された球面ブッシュ２０を配設し、連結凹部５には、ブロックリンクＡの中心線を中心とするような略円筒内周面状の内周面を形成し、一対の環状ブッシュ受２５、３０には、ブロックリンクＡの中心線を中心とするような略円柱外周面状の外周面を形成し、この一対の環状ブッシュ受２５、３０の外周面が、連結凹部５の内周面に摺接するように形成して、一対の環状ブッシュ受２５、３０が連結凹部５内でブロックリンクＡの中心線を中心として正逆回転自在となるように構成し、一対の環状ブッシュ受２５、３０の内周部分には、球凹面２６、３１を夫々形成し、球面ブッシュ２０の外表面には、摺動球凸面２１を形成し、この摺動球凸面２１の搬送方向他端寄り部分に、他方の環状ブッシュ受２５の球凹面２６が摺接するように形成すると共に、摺動球凸面２１の搬送方向一端寄り部分に、一方の環状ブッシュ受３０の球凹面３１が摺接するように形成して、球面ブッシュ２０が一対の環状ブッシュ受２５、３０に対してブロックリンクＡの中心線を中心として正逆回転自在となると共に、ブロックリンクＡの中心線を中心としてあらゆる向きに揺動自在となるように構成したので、隣設するブロックリンクＡ相互が離れる向きに負荷がかけられようとも、相互が接近する向きに負荷がかけられようとも、連結部分に於けるガタつきが生ぜず、搬送用チェーンの走行時に脈動を生じたり、騒音を発生したりする虞れがなく、しかも、ブロックリンクＡ相互がスムーズに揺動したり、スムーズに正逆回転できるようになる。
更に、ブロックリンクＡ相互の連結部分にあっては、その構成が簡素となると共に、堅牢で、耐久性にも優れたものとなり、加えて、その分解、組立てが簡単に行えるようになると共に、メンテナンス等も容易に行えるようになり、しかも、これらに要する時間も短縮できるようになり、非常に取扱い易い搬送用チェーンの連結構造となる。
【００１７】
また、前記連結凹部５には、搬送方向他端寄りがわに配される他方の環状ブッシュ受２５と、搬送方向一端寄りがわに配される一方の環状ブッシュ受３０とが、ストッパー取付溝７に着脱自在に装着されるストッパー３５を介して逸脱不能に内装され、この一対の環状ブッシュ受２５、３０の内周部分には、連結杆２を固定する取付孔２２がその中心部に穿設された球面ブッシュ２０を配設したので、一対の環状ブッシュ受２５、３０の連結凹部５への組込みや、一対の環状ブッシュ受２５、３０への球面ブッシュ２０の組込みが容易に行えるようになると共に、連結凹部５及びその周囲が狭いスペースであっても容易に組立てられるようになる。ひいては、搬送用チェーンの連結構造自体の小型コンパクト化が図り易くなる。しかも、量産に適し、コストの低減も図れるようになり、経済的なものとなる。
加えて、ブロックリンクＡは、搬送方向一端がわに連結杆２が突設され、搬送方向他端がわに連結凹部５が凹設され、搬送方向略中央部分に、連結凹部５と連通状態となると共に、搬送物支持体Ｂが装着できる取付部１５が形成されるので、取付部１５の空間を利用してブロックリンクＡ相互の連結が行えるようになり、ブロックリンクＡ相互を連結してから、取付部１５に搬送物支持体Ｂを装着できるようになる。
【００１８】
特に、連結凹部５には、ブロックリンクＡの中心線を中心とするような略円筒内周面状の内周面を形成し、一対の環状ブッシュ受２５、３０には、ブロックリンクＡの中心線を中心とするような略円柱外周面状の外周面を形成し、この一対の環状ブッシュ受２５、３０の外周面が、連結凹部５の内周面に摺接するように形成して、一対の環状ブッシュ受２５、３０が連結凹部５内でブロックリンクＡの中心線を中心として正逆回転自在となるように構成し、一対の環状ブッシュ受２５、３０の内周部分には、球凹面２６、３１を夫々形成し、球面ブッシュ２０の外表面には、摺動球凸面２１を形成し、この摺動球凸面２１の搬送方向他端寄り部分に、他方の環状ブッシュ受２５の球凹面２６が摺接するように形成すると共に、摺動球凸面２１の搬送方向一端寄り部分に、一方の環状ブッシュ受３０の球凹面３１が摺接するように形成して、球面ブッシュ２０が一対の環状ブッシュ受２５、３０に対してブロックリンクＡの中心線を中心として正逆回転自在となると共に、ブロックリンクＡの中心線を中心としてあらゆる向きに揺動自在となるように構成したので、連結凹部５と一対の環状ブッシュ受２５、３０の正逆回転と、一対の環状ブッシュ受２５、３０と球面ブッシュ２０の正逆回転自在とにより、隣設するブロックリンクＡ相互が、よりスムーズに正逆回転できるようになる。
【図面の簡単な説明】
【図１】  本発明の連結構造を例示する分解斜視図である。
【図２】  本発明の連結構造を例示する一部切欠部分平面図である。
【図３】  本発明の連結構造を備えたブロックリンクに搬送物支持体を装着した状態を例示する一部切欠部分背面図である。
【図４】  本発明の連結構造を備えたブロックリンクに搬送物支持体を装着した状態を例示する一部省略側面図である。
【符号の説明】
Ａ      ブロックリンク
１      リンク基体                  ２      連結杆
３      雄ネジ部
５      連結凹部                    ６      係止段部
７      ストッパー取付溝
１０    軸部                        １１    雌ネジ部
１２    ローラ                      １３    ボルト
１５    取付部
２０    球面ブッシュ                ２１    摺動球凸面
２２    取付孔
２５    環状ブッシュ受              ２６    球凹面
３０    環状ブッシュ受              ３１    球凹面
３５    ストッパー                  ３６    ナット
３７    座金
Ｂ      搬送物支持体
【図１】
0003637562.tif 000002
【図２】
0003637562.tif 000003
【図３】
0003637562.tif 000004
【図４】
0003637562.tif 000005